(57)【特許請求の範囲】
【請求項１】
調理器具本体の前面に電池収納部の前面開口部を設け、前面視で２個の円筒状電池が円筒の軸が並列する形態で装填された電池ケースを調理器具本体の前面から電池収納部内に抜挿自在に収納するようにした調理器具の電池収納構造において、上記電池収納部の前面開口部の一部の領域に、調理器具の操作及び表示を行なう操作表示部を組み込むと共に、該操作表示部は、前面視で電池ケース内に装填された円筒状電池間のスペースに適合し得る形状で突出した操作表示用突出部を一体に備えていることを特徴とする調理器具の電池収納構造。
【請求項２】
上記２個の円筒状電池の側面の上端が前面視で上方に開放された電池ケースの側壁上端よりも上に突出しており、上記操作表示部から突出する操作表示用突出部の最下端が前面視で上記円筒状電池のそれぞれの突出した側面上端より下で且つ電池ケースの側壁上端より上に位置していることを特徴とする請求項１記載の調理器具の電池収納構造。
【請求項３】
上記電池収納部の前面開口部を開閉する電池ケース蓋を備え、電池ケース蓋の上端部を調理器具本体の前面にヒンジ部を介して回動自在に枢着すると共に、電池ケース蓋の一部に電池ケース蓋の閉止状態で上記操作表示部を外部に露出させるための切欠部を設けてなることを特徴とする請求項１又は２記載の調理器具の電池収納構造。
【請求項４】
上記調理器具本体は、こんろバーナで加熱される加熱容器の底面の温度をこんろ用温度センサにより検知してガス供給量を調節するこんろ部の下部に、ガス燃焼式のグリルバーナを有するグリル部が装備されたグリル付きガスこんろであり、こんろ本体の前面に上記電池収納部の前面開口部を設けると共に、上記操作表示用突出部に上記こんろ用温度センサを解除するためのセンサ解除スイッチの一部を配置してなることを特徴とする請求項１乃至３のいずれかに記載の調理器具の電池収納構造。
【発明の詳細な説明】
【技術分野】
【０００１】
本発明は、調理器具の電池収納構造に関し、詳しくは調理器具の前面に電池収納部を設けた構造に関するものである。
【背景技術】
【０００２】
従来より、グリルを具備しないビルトインタイプのガスこんろ１’が知られている（例えば、特許文献１参照）。このガスこんろ１’は、図１０に示すように、略正方形のトッププレート８に、２口のこんろバーナ３を対角線上に配置することで、こんろバーナ３を横一列に配置するものと比較して横幅寸法を小さくできるようにした構造において、片方のこんろバーナ３のみにこんろ用温度センサ１０を具備し、加熱しすぎによる調理ミスや天ぷら油火災を未然に防ぐための自動消火機能を備えたものである。
【０００３】
しかし、前記特許文献１に示されたガスこんろ１’においては、片方のこんろバーナ３にしかこんろ用温度センサ１０が具備されておらず、しかも魚焼き調理などに用いるグリルも装備されていない。にもかかわらず市場では、安全性、利便性に対する要望が高まっており、こんろバーナ３の全口にこんろ用温度センサ１０を具備して欲しいとの要望や、ガスこんろ１’の下部に魚焼き調理などに用いるグリルを装備して欲しいとの要望が高まっている。
【０００４】
そこで、例えば図１１に示すような、こんろバーナの下に魚焼き調理などに用いるグリル２０を装備したグリル付きガスこんろにおいては、こんろの全口に、こんろ用温度センサ１０を装備したものが提案されている。
【０００５】
ところで、従来より、ガスこんろ１’の電源用の電池を収納する位置を、ガスこんろ１’の前面に配置することが望まれるが、下記のように、ガスこんろ１’の前面においては必要な操作部や表示部３６の数が多くなり、グリル２０を装備することと相まって、電池を収納するための必要なスペースを前面に確保することが課題となる。特に、他機種との部品の共通化やデザイン上の配慮などの理由から、前面において表示部や操作部の配置に制約がある場合は電池収納部のためのスペース確保が大きな課題である。
【０００６】
即ち、ガスこんろ１’の前面には、こんろバーナ及びグリルバーナの点火・消火用に、３個の器具栓操作つまみが必要となり、また、こんろの全口にこんろ用温度センサを具備する場合にあっては、こんろ部で炒めものや炒りものなど高温調理を行う場合を想定して、センサ解除スイッチを装備する必要がある。さらに利便性を考慮して、センサ解除ランプ、及び、グリルバーナの炎を直接目視で確認しにくいグリル用にグリル燃焼ランプ、電池交換を促す電池交換サインランプ等を操作表示部３６に装備する必要がある。
【０００７】
ここで、ガスこんろ１’の制御部として例えばマイクロコンピュータを備える場合は、乾電池を電気的に直列接続することにより安価にマイクロコンピュータ用の電源が供給できるという理由から、２個の乾電池を電源とすることが多い。この場合、２個の乾電池を前面視で円筒の軸が並列する形態で電池ケースに装填したときは、電池ケースの横幅が広がり、こんろ前面への電池収納部のためのスペースを確保することはきわめて難しくなる。
【０００８】
ちなみに、こんろ下面側に電池収納部を設けた場合は電池の収納場所がわかりにくく電池交換がしにくいものであり、こんろの両側面や背面では、カウンタに組み込まれるビルトインコンロの場合において電池交換が極めて困難となり、またテーブルこんろの場合でも両側面や後面には壁や流し台などが近接することが多く、電池交換時に調理器具の移動が必要となる。さらにこんろ上面では、電池収納部の開口部を蓋で閉じる必要があり、また不完全に閉じられたときも想定した煮汁侵入防止が困難となり、耐熱温度面、意匠的な面での不利が多いという問題がある。
【０００９】
そこで、こんろ前面の限られた範囲内において前面からの電池交換を行ないたい、さらに操作部や表示部の視認性を良好なものにしたいとの市場の要望に応えることが必要な課題である。
【特許文献１】意匠登録第１２２０４５６号公報
【発明の開示】
【発明が解決しようとする課題】
【００１０】
本発明は上記の従来の問題点に鑑みて発明したものであって、電池交換を調理器具の前面から行える構造において、調理器具の前面の限られたスペース内に操作表示部と電池収納部とを合わせた高さ寸法を小さく抑えて配置できると共に、電池間スペースを有効利用して操作表示部の拡大化を図ることができ、操作表示部の視認性を良好にできる調理器具の電池収納構造を提供することを課題とするものである。
【課題を解決するための手段】
【００１１】
上記課題を解決するために本発明は、調理器具本体の前面に電池収納部３７の前面開口部３７ａを設け、前面視で２個の円筒状電池３５が円筒の軸が並列する形態で装填された電池ケース４０を調理器具本体の前面から電池収納部３７内に抜挿自在に収納するようにした調理器具の電池収納構造において、上記電池収納部３７の前面開口部３７ａの一部の領域に、調理器具の操作及び表示を行なう操作表示部３６を組み込むと共に、該操作表示部３６は、前面視で電池ケース４０内に装填された円筒状電池３５間のスペース３５ｂに適合し得る形状で突出した操作表示用突出部５０を一体に備えていることを特徴としている。
【００１２】
このような構成とすることで、電池収納部３７の前面開口部３７ａの一部が操作表示部３６の領域となるので、調理器具本体の前面の限られたスペース３５ｂ内に操作表示部３６と電池収納部３７とを合わせた高さ寸法（前面視上下寸法）を小さく納めることができ、これにより調理器具本体前面からの電池ケース４０の抜挿が容易にできると共に、２個の円筒状電池３５を軸の向きを揃えて並列的に配置した形態で、操作表示用突出部５０の突出形状を前面視で電池間スペース３５ｂに適合し得る形状にさせることで、電池間スペース３５ｂを有効利用して操作表示部３６の拡大化を図ることができ、操作表示部３６における視認性を良好にできるものである。
【００１３】
また、上記２個の円筒状電池３５の側面上端３５ａが前面視で上方に開放された電池ケース４０の側壁上端４０ｄよりも上に突出しており、上記操作表示部３６から突出する操作表示用突出部５０の最下端が前面視で上記円筒状電池３５のそれぞれの突出した側面上端３５ａより下で且つ電池ケース４０の側壁上端４０ｄより上に位置しているのが好ましく、この場合、円筒状電池３５を収納した電池ケース４０を電池収納部３７の前面開口部３７ａから収納する際に、操作表示用突出部５０が円筒状電池３５の突出した側面上端３５ａと電池ケース４０の側壁上端４０ｄとの間に位置することによって、操作表示用突出部５０が円筒状電池３５及び電池ケース４０にそれぞれ干渉することなく、電池間スペース３５ｂにスムーズに納めることができるようになり、電池の収納、交換作業がはかどるようになる。
【００１４】
また、上記電池収納部３７の前面開口部３７ａを開閉する電池ケース蓋３８を備え、電池ケース蓋３８の上端部を調理器具本体の前面にヒンジ部３８ａを介して回動自在に枢着すると共に、電池ケース蓋３８の一部に電池ケース蓋３８の閉止状態で上記操作表示部３６を外部に露出させるための切欠部３８ｂを設けてなるのが好ましく、この場合、電池が装填された電池ケース４０を電池収納部３７に抜挿する際に電池ケース蓋３８を開けた時には、電池ケース蓋３８全体をその上端部に設けたヒンジ部３８ａの高さ位置まで持ち上げることができるため、電池ケース４０の出し入れの際に電池ケース蓋３８が邪魔になることがなく、電池交換を容易に行える。しかも、電池ケース蓋３８を閉じた状態では切欠部３８ｂを介して操作表示部３６が外部に露出しているので、操作表示部３６の操作や表示をいちいち電池ケース蓋３８を開けずに行なうことができ、利便性が向上する。
【００１５】
また、上記調理器具本体は、こんろバーナ３で加熱される加熱容器の底面の温度をこんろ用温度センサ１０により検知してガス供給量を調節するこんろ部の下部に、ガス燃焼式のグリルバーナを有するグリル部が装備されたグリル付きガスこんろ１であり、こんろ本体７の前面に上記電池収納部３７の前面開口部３７ａを設けると共に、上記操作表示用突出部５０に上記こんろ用温度センサ１０を解除するためのセンサ解除スイッチ３３の一部を配置してなるのが好ましく、この場合、こんろ本体７の前面において電池収納部３７の拡大化を抑制しながら、操作表示部３６に設けられるセンサ解除スイッチ３３の一部を操作表示用突出部５０に配置できるようになり、しかも、電池ケース蓋３８を閉じた状態でセンサ解除スイッチ３３を含む操作表示用突出部５０全体を外部に露出させることができるので、電池ケース蓋３８をいちいち開けずに使用センサ解除スイッチ３３の解除操作等を容易に行なえるようになる。
【発明の効果】
【００１６】
本発明は、調理器具本体の前面から電池交換ができる構造において、調理器具本体の前面の限られたスペース内に、操作表示部と電池収納部とを配置でき、しかも、電池間スペースを有効利用して操作表示部の拡大化を図ることができ、操作表示部における視認性を良好なものにできるものである。
【発明を実施するための最良の形態】
【００１７】
以下、本発明を添付図面に示す実施形態に基いて説明する。
【００１８】
本実施形態のグリル付きガスこんろ１は、図１、図８、図９に示すように、こんろバーナ３を備えるこんろ部２と、ガス燃焼式のグリルバーナ（図示せず）を備えるグリル部２０とからなるビルトインタイプのガスこんろ１である。勿論、ビルトインこんろに限定されるものではなく、テーブルこんろであってもよい。
【００１９】
先ず、こんろ部２とグリル部２０の基本構造を説明する。
【００２０】
こんろ部２の上面は、略正方形のガラス板で構成されるトッププレート８により覆われている。
【００２１】
こんろ本体７内に設けたこんろ台上（図示せず）には、高火力バーナと標準バーナとからなる２口のこんろバーナ３が載置されており、トッププレート８の対角線上に設けた開口部８ａから各こんろバーナ３の炎孔部をトッププレート８上に突出させる形態で配置されている。なお、高火力バーナを手前に配置した方が使いやすいので高火力バーナを左手前に配置し、標準バーナを右奥に配置しているが、これとは逆に、高火力バーナを右手前に、標準バーナを左奥に配置したり、或いは、高火力バーナを奥に配置したりするなど、こんろバーナ３の配置場所は適宜変更可能である。また、２口のこんろバーナ３の両方共に高火力バーナとしても良い。また、こんろバーナ３とトッププレート８の開口部８ａとの間には煮汁が侵入しないようにシール部材（図示せず）によりシールされている。
【００２２】
前記トッププレート８上には、各こんろバーナ３に対する被加熱物（鍋など）を受け止めて支持するための五徳９が載置されている。
【００２３】
また、こんろ本体７内には、各種の制御を実行するように構成されたマイクロコンピュータからなる制御部（図示せず）が設けられている。さらに各こんろバーナ３には、点火作動を実行する点火装置としての点火プラグ（図示せず）および着火状態を検出するための熱電対（図示せず）が設けられている。後述のコンロ用器具栓操作つまみ３１を「点火」の角度まで押しまわし操作すると、こんろバーナ３にガスが供給され、点火用イグナイタに通電され連続スパークによりガスに点火する。ガスに点火すると、各こんろバーナ３に備えられた熱電対の温度が上昇し、制御部が安全弁への通電を保持することによりガスの供給が継続されることにより燃焼が継続される。万が一煮こぼれなどによりこんろバーナ３が消火すると、熱電対の温度が下がり、制御部がバーナの消火を検出すると、安全弁への通電を遮断し、バーナへのガスの供給が停止するようになっている。
【００２４】
また、前記２口こんろバーナ３の全口に、被加熱物（鍋など）の底部に接触して、その温度を検出するためのサーミスタからなるこんろ用温度センサ１０が設けられている。このこんろ用温度センサ１０は環状のこんろバーナ３の中央を貫通する形態で備えられており、こんろ用温度センサ１０の感温ヘッドは、ばねで上方に付勢されていて、五徳９に載せられた加熱容器の底面に当接して所定の消火温度（例えば２７０℃）を検知するものである。
【００２５】
一方、グリル部２０は、前面に開口した箱状に形成された扉付きグリル庫２２内に、魚などの被調理物を載置させる載置部としての焼き網（図示せず）を設けて構成されており、被調理物を上面から加熱するためのグリルバーナ（図示せず）を備えている。
【００２６】
本例のグリル庫２２は、こんろ部２の左手前に位置する高火力バーナの略直下に位置している。このようにグリル庫２２を左手前に偏在させることにより、こんろ本体７内の右側部分にまとまったスペースが確保でき、ガスバルブ、点火用イグナイタ、制御部などの電装部品の配置が行ないやすくなっている。
【００２７】
グリル庫２２の後部には、グリル庫２２からの燃焼排ガスをこんろ部２の上面後部に位置するグリル排気口５に導くための排気筒（図示せず）が、グリル庫２２後部から斜め後方に立ち上がる形態で設けてある。
【００２８】
上記グリルバーナにも、こんろバーナ３と同様、点火作動を実行する点火装置としての点火プラグ（図示せず）および着火状態を検出するための熱電対（図示せず）が設けられている。すなわち、グリル用器具栓操作つまみ３２を「点火」の角度まで押しまわし操作すると、グリルバーナにガスが供給され、点火用イグナイタに通電され連続スパークによりガスに点火する。ガスに点火すると、グリルバーナに備えられた熱電対の温度が上昇し、制御部が安全弁への通電を保持することによりガスの供給が継続されることにより燃焼が継続される。万が一、グリルバーナが消火すると、熱電対の温度が下がり、制御部がバーナの消火を検出し、安全弁への通電を遮断してガス供給が停止するようになっている。
【００２９】
また、グリル庫２２の側方の前面には、図２に示すように、こんろバーナ３とグリルバーナの点火および消火や火力調節を行うための操作部３０として、２つのコンロ用器具栓操作つまみ３１と、１つのグリル用器具栓操作つまみ３２とが計３個設けられていると共に、これら器具栓操作つまみ３１の側部に、電池ケース蓋３８で開閉される電池収納部３７が設けられている。電池収納部３７の一部には表示部３４とセンサ解除スイッチ３３とを備えた操作表示パネル３６が設置されている。本例の表示部３４を説明する。先ずグリル燃焼ランプ３４ａはグリルに点火し着火が検出されたときにＬＥＤが点灯する。グリルバーナはグリル庫２２内上面に位置し、グリルバーナへの着火を直接目視では確認しにくいため、グリル燃焼ランプ３４ａにより使い勝手が良くなっている。電池交換サインランプ３４ｂは電池収納部３７内に装着されている電池の直列電圧が２．１Ｖ以下になるとＬＥＤが点滅し、電池の交換時期であることを報知する。センサ解除ランプ３４ｃは、センサ解除スイッチ３３の３秒長押し操作によりセンサ解除モードに設定に設定されるとＬＥＤが点灯する。ここで、センサ解除スイッチ３３は、こんろ部２で炒めものや炒りものなど高温調理を行う時にセンサ解除モードに切り替えるためのものである。一般に加熱しすぎによる調理ミスや天ぷら油火災を未然に回避するために、こんろ用温度センサ１０の検知温度が予め設定された消火設定温度を上回るとこんろ過熱防止機能が働いて自動的に消火されてしまうという問題がある。そこで、センサ解除スイッチ３３を例えば３秒以上長押しすることにより、こんろ過熱防止機能の作動温度が例えば２９０℃に変更されるセンサ解除モードに設定できるようにしており、このときセンサ解除ランプ３４ｃが点灯することでセンサ解除モードに設定されたことをひと目で判別できる構造となっている。
【００３０】
ここで本発明においては、図１〜図３に示すように、こんろ本体７の前面に電池収納部３７の前面開口部３７ａを設け、前面視で２個の円筒状電池３５が円筒の軸が並列する形態で装填された電池ケース４０をこんろ本体７の前面に設けた前面開口部３７ａから電池収納部３７内に抜挿自在に収納するようにしている。
【００３１】
上記電池収納部３７の前面開口部３７ａの一部の領域には、調理器具の操作及び表示を行なう操作表示部３６が組み込まれている。操作表示部３６は、図５に示すように、表示用ＬＥＤ及びこんろ用温度センサ１０の解除に用いるセンサ解除スイッチ３３（タクトスイッチ）等を実装した操作表示パネルの背面にＬＥＤ・センサ基板収納部３９を一体に備えて構成されている。ここでは、ＬＥＤ・センサ基板収納部３９は正面から見て略直方体に形成されている。また操作表示パネルの中央側の下端部から、下方に向けて略半円弧状に突出する形態で操作表示用突出部５０（操作表示パネル）が突設されている。この操作表示用突出部５０にはセンサ解除スイッチ３３の円弧状の下部が配置されている。つまりセンサ解除スイッチ３３の下部が電池間スペース３５ｂに向けて突出する形態で配置されている。
【００３２】
なお、ＬＥＤやセンサ解除スイッチ３３を備える操作表示部３６の表面には、必要な文字、模様などが印刷された合成樹脂製のシートが用いられており、センサ解除スイッチ３３を現す表示（略円形枠内に「センサー解除」の表示）において、センサ解除スイッチ３３が実装されている領域に相当する部分を覆うシートにはエンボス加工がなされており、使用者はこのエンボス部分を押すことによりセンサ解除スイッチ３３を操作できるようになっている。
【００３３】
上記操作表示部３６（操作表示パネル）は、図３に示すように、前面視で電池ケース４０内に装填された円筒状電池３５間のスペース３５ｂに適合し得る形状で突出した操作表示用突出部５０を一体に備えている。つまり、２個の円筒状電池３５の側面上端３５ａが前面視で上方に開放された電池ケース４０の側壁上端４０ｄよりも上に突出しており、上記操作表示部３６から突出する操作表示用突出部５０の最下端が前面視で上記円筒状電池３５のそれぞれの突出した側面上端３５ａより下で且つ電池ケース４０の側壁上端４０ｄより上に位置している。この操作表示用突出部５０には、上記こんろ用温度センサ１０を解除するセンサ解除スイッチ３３の一部が配置されている。つまり、操作表示部３６は前面視で電池ケース４０の側壁上端４０ｄより高い位置にあり、操作表示部３６から下方に突出する操作表示用突出部５０は、電池ケース４０に装填された２個の円筒状電池３５の側面上端３５ａより低い位置にあり、且つ円筒状電池３５及び電池ケース４０の何れとも前面視において重ならない位置に配置されている。
【００３４】
上記電池ケース４０は、図６に示すように、底面の四辺から前壁４０ａと左右の側壁４０ｂと後壁４０ｃとそれぞれ立設された上方に開放された箱形に形成され、図３のように電池ケース４０の側壁４０ｂの高さＨは電池の側面上端３５ａよりも低い段差Ｓを有しており、この段差Ｓの範囲に操作表示用突出部５０の下端部が位置するように、操作表示用突出部５０の突出寸法Ｔが決められている。
【００３５】
２個の円筒状電池３５（乾電池）は、円筒の軸が並列する形態で電池ケース４０内に装填されている。電池ケース４０内に設けた電池間接続電極４５により電気的に直列接続される。なお、図６中の４１は極性表示部、４２は取手部、４３は本体側電極バネ４４（図７）が入る穴部である。
【００３６】
上記電池ケース４０を、図７（ａ）のように電池ケース蓋３８を開いて電池収納部３７に挿入すると、こんろ本体７側に備えられた本体側電極バネ４４が電池ケース４０の穴部４３を通って電池ケース４０内の円筒状電池３５の極に接触することで円筒状電池３５とこんろ本体７内の図示しない制御部とが電気的に接続された状態となる。
【００３７】
上記電池収納部３７の前面開口部３７ａを開閉する電池ケース蓋３８の上部両端は、図４に示すように、こんろ本体７の前面に回動自在に枢着されるヒンジ部３８ａが設けられている。
【００３８】
電池ケース蓋３８の上部中央部には切欠部３８ｂが設けられ、図２に示すように、電池ケース蓋３８をヒンジ部３８ａを回動中心として閉じたときには上部中央部の切欠部３８ｂに、表示用のＬＥＤ及びセンサ解除スイッチ３３を実装した操作表示部３６が嵌り込み、この電池ケース蓋３８を閉じた状態でセンサ解除スイッチ３３の操作や各表示部が視認可能となるように構成されている。
【００３９】
しかして上記構成によれば、先ず２個の円筒状電池３５を円筒形の軸が並列する形態で電池ケース４０内に装填することで、電池ケース４０を利用して電池の極性表示が行いやすく、複数の電池を極性を間違えずに装填できると共に、一度に取り外して電池交換が容易にできる利点がある。ちなみに電池ケース４０を用いずに、電池をバラで装填する場合にあっては、電池の極を間違えて装填する可能性があり、この場合、器具動作が正常に行われなくなり、再び電池を取り出して電池の装填をやり直す必要があり、非常に手間がかかるという問題があるが、本実施形態の電池ケース４０を用いることでかかる問題を解消できる。
【００４０】
また、電池収納部３７の前面開口部３７ａの一部が操作表示部３６の領域となるので、こんろ本体７の前面の限られたスペース内に操作表示部３６と電池収納部３７とを合わせた高さ寸法（前面視上下寸法）を小さく納めることができ、これによりこんろ本体７の前面からの電池の抜挿が容易にできると共に、２個の円筒状電池３５を軸の向きを揃えて並列的に配置した形態で、操作表示部３６の操作表示用突出部５０を前面視で電池間スペース３５ｂに適合し得る形状に突出させることで、電池間スペース３５ｂを有効利用して操作表示部３６の拡大化を図ることができ、操作表示部３６における操作性及び視認性をそれぞれ良好にできる。
【００４１】
しかも、円筒状電池３５を収納した電池ケース４０を電池収納部３７の前面開口部３７ａから収納する際に、操作表示用突出部５０が円筒状電池３５の突出した側面上端３５ａより下で且つ電池ケース４０の側壁上端４０ｄより上に位置することによって、操作表示用突出部５０が円筒状電池３５及び電池ケース４０にそれぞれ干渉することがなく、電池間スペース３５ｂにスムーズに納めることができるので、こんろ本体７の前面からの電池の抜挿を容易に行なうことができる。つまり、センサ解除スイッチ３３を配置し得る操作表示用突出部５０は、電池ケース４０に装填された２個の電池及び電池ケース４０の何れとも前面視において重ならないため、２個の電池が装填された電池ケース４０のビルトインこんろ本体７への挿抜が容易に行えるようになる。
【００４２】
この結果、ガスこんろ１の前面において、必要な操作部、表示部を配置でき、さらにグリルを装備することと相まって、電池を収納するための必要なスペースを前面に確保できるものであり、特に、他機種との部品の共通化やデザイン上の配慮などの理由から、前面において表示部や操作部の配置に制約がある場合でも、電池収納部３７のためのスペースの確保が容易となる。
【００４３】
また本例では、電池が装填された電池ケース４０を電池収納部３７に抜挿する際に電池ケース蓋３８を開けた時には、電池ケース蓋３８をその上端部に設けたヒンジ部３８ａの高さ位置まで持ち上げることができるため、電池が装填された電池ケース４０の出し入れの際に電池ケース蓋３８が邪魔になることがなく、電池交換を容易に行える。しかも、電池ケース蓋３８を閉じた状態では切欠部３８ｂを介して操作表示部３６が外部に露出しているので、操作表示部３６の操作や表示をいちいち電池ケース蓋３８を開けずに行なうことができ、利便性が一段と向上するものである。
【００４４】
また本例では電池ケース蓋３８を閉じた状態でセンサ解除スイッチ３３を含む操作表示用突出部５０全体を外部に露出させることができるので、電池ケース蓋３８をいちいち開けずに使用センサ解除スイッチ３３の解除操作等を容易に行なえる利点もある。
【図面の簡単な説明】
【００４５】
【図１】本発明の一実施形態を説明するグリル付きガスこんろの正面図である。
【図２】同上のこんろ本体の前面に設けられる電池ケース蓋を閉じた状態の正面図である。
【図３】同上の電池ケース蓋を開いた状態の正面図である。
【図４】（ａ）〜（ｃ）は同上の電池ケース蓋の正面図、平面図、側面図である。
【図５】（ａ）は同上のＬＥＤ・センサ基板収納部を背後に一体に備えた操作表示パネルの正面図、（ｂ）は平面図、（ｃ）は側面図である。
【図６】（ａ）〜（ｃ）は同上の電池ケースの正面図、平面図、２個の円筒状電池を装填した状態の平面図である。
【図７】（ａ）は電池ケース蓋を開いて電池ケースを抜挿する場合を説明する側面図であり、（ｂ）は電池ケース蓋を閉じた状態の側面図である。
【図８】同上のグリル付きガスこんろの平面図である。
【図９】同上のグリル付きガスこんろのビルトイン形態を説明する概略側面断面図である。
【図１０】従来例のグリルを装備しないビルトインタイプのガスこんろの斜視図である。
【図１１】従来例のグリルを装備したビルトインタイプのガスこんろの斜視図である。
【符号の説明】
【００４６】
１  グリル付きガスこんろ
７  こんろ本体
３３  センサ解除スイッチ
３５  円筒状電池
３５ａ  側面上端
３５ｂ  電池間スペース
３６  操作表示部
３７  電池収納部
３７ａ  前面開口部
３８  電池ケース蓋
３８ａ  ヒンジ部
３８ｂ  切欠部
４０  電池ケース
４０ｄ  側壁上端
５０  操作表示用突出部
【図１】
0005161598.tif 000002
【図２】
0005161598.tif 000003
【図３】
0005161598.tif 000004
【図４】
0005161598.tif 000005
【図５】
0005161598.tif 000006
【図６】
0005161598.tif 000007
【図７】
0005161598.tif 000008
【図８】
0005161598.tif 000009
【図９】
0005161598.tif 000010
【図１０】
0005161598.tif 000011
【図１１】
0005161598.tif 000012